(57)【要約】【課題】  表皮材の接ぎ合わせ個所に沿って設ける玉縁において、玉縁の蛇行と剥離を防止することである。【手段】  玉縁（４）を構成する玉芯（３）と、この玉芯（３）を被覆する被覆材（４Ａ）とを接ぎ合わせる表皮材Ａ（１）と表皮材Ｂ（２）に一体に縫着し、且つ、表皮材Ａ（１）、表皮材Ｂ（２）の各縫い代（１０）（２０）を被覆材（４Ａ）の脚部（４１）（４２）と共に、表皮材Ａ（１）、表皮材Ｂ（２）の裏側に一体に縫着してなる構成である。【選択図】  図２
2005323703.tif 000002
【特許請求の範囲】
【請求項１】
表皮材Ａと表皮材Ｂの接ぎ合わせ個所に沿って玉縁を有するシートの表皮であって、
前記玉縁は玉芯と、この玉芯を包む被覆材とからなり、
前記玉芯は前記被覆材と共に前記表皮材Ａと表皮Ｂとの間に一体に縫着され、
前記被覆材は前記玉芯を被覆する頭部と、この頭部の左右に有する脚部とからなり、該各脚部は表皮材Ａ、表皮材Ｂの内側に折り返した縫い代と共に表皮材Ａ、表皮材Ｂの内側に一体に縫着してなるシートの表皮。
【請求項２】
前記被覆材は表皮材Ａ、Ｂに対して異色である請求項１のシートの表皮。
【請求項３】
前記玉芯は表皮材Ａ、Ｂに縫着する面が略平面状である断面略長惰円形である請求項１のシートの表皮。
【発明の詳細な説明】
【技術分野】
【０００１】
本発明は自動車用シート（座席）の表皮、詳しくは、二枚の表皮材の接ぎ合わせ個所に沿って玉縁を有する表皮に関する。
【背景技術】
【０００２】
シートの外観品質を向上させるために、シートの外表面を構成する表皮の接ぎ合わせ個所に沿って装飾用の玉縁をサンドイッチして設けたものがある。
【０００３】
以上の玉縁は紐状の玉芯をテープ状の被覆材の幅方向の中央に介在させて被覆材を接ぎ合わせる表皮材間に縫着して形成している。
【０００４】
そのため、接ぎ合わせた表皮材及び被覆材の縫い代が内側にあるため、この接ぎ合わせた玉縁付の表皮で、発泡体製パッドを被覆すると、前記縫い代が蛇行するため、この蛇行によりシートの表面に突出する玉縁も蛇行する。
【０００５】
特に、玉縁がシートの曲線状に形成した部分にある場合には、玉縁の蛇行が激しいので、シートの外観品質が損なわれていた。
【０００６】
斯る不具合を除去するために、例えば、特開昭５７ー１６６７７４号公報に開示するように、玉縁全体を表皮の外表面に一体に縫着したものがある。
【０００７】
【特許文献１】特開昭５７ー１６６７７４号公報
【発明の開示】
【発明が解決しようとする課題】
【０００８】
以上の如く、表皮の外表面に玉縁を一体に縫着したものは、玉縁が表皮の外表面より突出するため、玉縁が着座時に異物感になる。
【０００９】
また、玉縁が表皮よりシートの長期使用によって剥離される虞れもあった。
【００１０】
そこで、本発明は斯様な従来品の不具合を除去することを目的とする。
【課題を解決するための手段】
【００１１】
以上の目的を達成するための本発明は、表皮材Ａと表皮材Ｂの接ぎ合わせ個所に沿って玉縁を有するシートの表皮であって、前記玉縁は玉芯と、この玉芯を包む被覆材とからなり、前記玉芯は前記被覆材と共に前記表皮材Ａと表皮Ｂとの間に一体に縫着され、前記被覆材は前記玉芯を被覆する頭部と、この頭部の左右に有する脚部とからなり、該各脚部は表皮材Ａ、表皮材Ｂの内側に折り返した縫い代と共に表皮材Ａ、表皮材Ｂの内側に一体に縫着してなる構成である。
【００１２】
以上の構成により、玉縁を構成する玉芯と被覆材は表皮材Ａ、Ｂに一体に縫着され、表皮材Ａ、Ｂ及び被覆材の各縫い代は表皮材Ａ、Ｂの内側に一体に縫着される。
【発明の効果】
【００１３】
本発明によれば、表皮材Ａ、Ｂの接ぎ合わせ個所に沿って一体に玉縁が縫着されるため、シートの長期使用によっても玉縁が表皮から剥離されることがない。
【００１４】
また、表皮材Ａ、Ｂの各縫い代及び被覆材の各脚部が表皮材Ａ、Ｂの内側に一体に縫着されるため、玉縁が前記従来品の如く、蛇行することがない。
【発明を実施するための最良の形態】
【００１５】
以下、本発明の一実施例を図面に基づいて説明する。
図１は玉縁（４）を表皮材Ａ（１）と表皮材Ｂ（２）との接ぎ合わせ個所に沿って縫着する状態を示す。
【００１６】
表皮材Ａ（１）、表皮材Ｂ（２）は従来の自動車用シートのトリムカバーに使用されているもので、裏面にワディング、ワディングカバーを有する多層構造のもの、或いは、皮革などの単層構造のものである。
【００１７】
図３、４に示す玉縁（４）は、玉芯（３）とこの玉芯（３）を被覆する被覆材（４Ａ）から構成され、玉芯（３）はミシン針が通す硬さで柔軟性を有する樹脂コードなどの紐状体で、被覆材（４Ａ）はテープ状の布地等で、好ましくは、表皮材Ａ（１）、表皮材Ｂ（２）に対して外面の着色が異色のものを使用している。
【００１８】
以上の玉芯（３）を被覆材（４Ａ）の幅方向の中央で図１に示すように挟み、玉芯（３）を内側にして、Ｕ字状に被覆材（４）を折曲して玉芯（３）を被覆する。
【００１９】
以上の被覆材（４Ａ）の玉芯（３）を被覆する部分を頭部（４０）とし、この頭部（４０）と玉芯（３）とを表皮材Ａ（１）と表皮材Ｂ（２）の端末に挟み、縫糸（５）でミシン縫いする。
【００２０】
従って、玉芯（３）の中心をミシン縫いできるように、玉芯３は表皮材Ａ（１）、表皮材Ｂ（２）に対応する面が略平面状に切欠されている断面略長惰円形に形成されている。
【００２１】
そして、以上の縫糸（５）による縫着は表皮材Ａ（１）、表皮材Ｂ（２）の端末（１Ａ）、（１Ｂ）と被覆材（４Ａ）の両端末（４１Ａ）（４２Ａ）とを揃えて行う。
【００２２】
従って、縫糸（５）と端末（１Ａ）（２Ａ）との間が表皮材Ａ（１）、表皮材Ｂ（２）の縫い代（１０）（２０）であり、被覆材（４Ａ）の両端末（４１Ａ）（４２Ａ）と縫糸（５）までの部分を被覆材（４Ａ）の脚部（４１）（４２）とする。
【００２３】
次に、表皮材Ａ（１）と表皮材Ｂ（２）の各縫い代（１０）（２０）を各々内側に折曲させると共に、この縫い代（１０）（２０）に被覆材（４Ａ）の脚部（４１）（４２）を縫い代（１０）（２０）の外側になるように開脚状に折曲させて、これらを同時に、即ち、ダブルステッチ縫いで表皮材Ａ（１）、表皮材Ｂ（２）に縫糸（５１）（５１）で縫着することにより、図２に示すように、玉縁（４）付の表皮が縫製される。
【００２４】
以上の縫糸（５１）（５１）によるダブルステッチ縫いは、玉芯（３）をセンターにして行う。
【００２５】
図３は玉縁（４）…を有する自動車用シートを示し、玉縁（４）は、例えば、図４に示すように、シートを構成する発泡体製のパッド（６）のコーナー等に沿って配設され、シートの外観品質を向上させている。
【００２６】
以上の如く、被覆材（４Ａ）を表皮材Ａ（１）、表皮材Ｂ（２）の各外面の着色と異色にすることにより、被覆材（４Ａ）が縁取り模様になり、シートの外観品質がより向上する。
【００２７】
また、表皮材Ａ（１）、表皮材Ｂ（２）の各縫い代（１０）（２０）及び被覆材（４Ａ）の両脚部（４１）（４２）が、表皮材Ａ（１）、表皮材Ｂ（２）の裏面側に一体に縫着されるので、前記従来品の如く、縫い代の蛇行によって玉縁が蛇行することがない。
【００２８】
更に、表皮材Ａ（１）と表皮材Ｂ（２）との間に設けた玉縁（４）が、前記従来品の如く、表皮の外表面より突出しないため、玉縁（４）が異物感となることもない。
【産業上の利用分野】
【００２９】
図面は自動車用のシートに使用される表皮を示すが、家具などの椅子に使用される表皮にも本発明は利用できる。
【図面の簡単な説明】
【００３０】
【図１】玉縁付表皮を形成する前の状態のシートの表皮の断面図である。
【図２】図１の状態からシートの表皮を形成した状態を示す断面図である。
【図３】本発明に係るシートの表皮を使用した自動車用シートの斜視図である。
【図４】図３のIVーIV線拡大断面図である。
【符号の説明】
【００３１】
１…表皮材Ａ、２…表皮材Ｂ、３…玉芯、４…玉縁、４Ａ…被覆材、４０…被覆材の頭部、４１…被覆材の脚部、４２…被覆材の脚部
【図１】
2005323703.tif 000003
【図２】
2005323703.tif 000004
【図３】
2005323703.tif 000005
【図４】
2005323703.tif 000006